(57)【特許請求の範囲】
【請求項１】
液体クロマトグラフィーにおいて有用な検量体を作製する方法であって、
アルデヒド基を有する還元グリカンを提供するステップと、
一級アミンを有する化合物と前記還元グリカンの前記アルデヒド基を反応させて、当該アルデヒド基が二級アミンに転換されている中間化合物を生成するステップと、
前記中間化合物を標識化試薬と混合し、前記中間化合物を前記標識化試薬でラベル化して、Ｎ−グリカンを前記標識化試薬で標識化することにより生成される、ラベル化されたＮ−グリカンと、実質的に同じ光学的特性を有するラベル化されたデキストランラダーを生成するステップと、を含む、方法。
【請求項２】
次の構造式の検量体であって、
【化１】
0006692811.tif 000021
式中、Ｒはグルコース単位又は単糖単位である、検量体。
【請求項３】
グリカンデータベースの調査において有用なグルコース単位を計算する方法であって、
生体サンプルから複数のＮ−グリカンを調製するステップと、
前記Ｎ−グリカンを、標識化試薬と反応させて、複数のラベル化されたＮ−グリカンを生成するステップと、
還元グリカンを提供するステップと、
一級アミンを有する化合物と前記還元グリカンを反応させて、二級アミンを有する中間化合物を生成するステップと、
前記中間化合物を前記標識化試薬と混合し、前記中間化合物を前記標識化試薬でラベル化して、前記ラベル化されたＮ−グリカンと、実質的に同じ光学的特性を有するラベル化されたデキストランラダーを生成するステップと、
前記ラベル化されたＮ−グリカンの親水性相互作用クロマトグラフィーによる分離を、前記ラベル化されたデキストランラダーで較正して、前記ラベル化されたＮ−グリカンに対するピーク保持時間を提供するステップと、
前記ピーク保持時間をグルコース単位に転換するステップと、を含む、方法。
【請求項４】
Ｎ−グリカンの構造を決定する方法であって、
生体サンプルから複数のＮ−グリカンを調製するステップと、
前記Ｎ−グリカンを標識化試薬と反応させて、複数のラベル化されたＮ−グリカンを生成するステップと、
前記複数のラベル化されたＮ−グリカンと実質的に同じ光学的特性を有するラベル化されたデキストランラダーを生成するステップであって、
還元グリカンを提供するステップと、
一級アミンを有する化合物と前記還元グリカンを反応させて、二級アミンを有する中間化合物を生成するステップと、
前記中間化合物を前記標識化試薬と混合し、前記中間化合物を前記標識化試薬でラベル化して、前記ラベル化されたデキストランラダーを生成するステップと、を含む、ステップと、
前記ラベル化されたＮ−グリカンの親水性相互作用クロマトグラフィーによる分離を、前記ラベル化されたデキストランラダーで較正して、前記ラベル化されたＮ−グリカンに対するピーク保持時間を提供するステップと、
前記ピーク保持時間を計算されたグルコース単位に転換するステップと、
計算された前記グルコース単位をグルコース単位データベースと比較して、前記複数のＮ−グリカンの構造を識別するステップと、を含む、方法。
【発明の詳細な説明】
【技術分野】
【０００１】
（関連出願の相互参照）
無し。
【背景技術】
【０００２】
ＵＰＬＣプラットフォームにおいて、蛍光検出と組み合わせた親水性相互作用クロマトグラフィー（「ＨＩＬＩＣ」）分離は、１回のクロマトグラフィー操作で、ニュートラル及び荷電グリカンの両方を分離するための能力のため、複合Ｎ−結合型グリカン集団を分解するために用いられ得る。グリカンの不均質性、異性化、及びアノマーの区別のため、複合Ｎ−結合型グリカンの構造を明らかにすることは、分析上、かなり困難な課題であり得る。デキストランラダーは、グリカンの親水性相互作用クロマトグラフィー（「ＨＩＬＩＣ」）分離を較正するため、及びピーク保持時間をグルコース単位（「ＧＵ」）値に変換するために用いられ得る。個々のグリカン構造のそれぞれは、その連結及びそれを構成する単糖類に直接関係するＧＵ値を有する。各々のグリカン構造構成成分は、所与のグリカンのＧＵ値に、特定の方法で寄与するので、ＧＵ値は、構造を予測するために用いることが可能である。
【０００３】
したがって、例えばデキストランラダーに基づくもののような分離用検量体を参照することにより、グリカンの溶出時間をグルコース単位で表すことが可能になる。デキストランラダーは、日々の変化又はシステムごとの変化に対して、液体クロマトグラフィー（「ＬＣ」）の実行を較正するために用いることが可能である。ＧＵ値は、デキストランラダーの保持時間に５次多項分布曲線をフィットさせることによって、又はデキストランラダーの保持時間の３次スプライン近似によって、計算することが可能である。次に、この曲線を用いてＧＵ値を、試験サンプルにおいて観察された保持時間から特定することができる。カラム間の標準偏差が０．３未満であれば、Ｎ−グリカンに対するＧＵ値は再現可能であり得る。これにより、一連の器具からある一定の期間にわたって集めたデータベース値と、直接比較することが可能となる。ＧＵ値を入手したら、あるグリカン集団とともに存在する、潜在的なグリカン構造を明らかにする助けとするために、ＧＵ値で記録されたグリカンのデータベースからデータを得ることが可能である。
【０００４】
更に、標識化の異なるアプローチを比較しても、ＨＩＬＩＣ分離により、ラベル化されたＮ−グリカンが非常に似通ったプロファイルにわけられることがわかる。高速標識化用試薬によって高速でラベル化されたグリカンとともに用いるのに適切なデキストランラダーを製造することは、簡単なことではない。デキストランは、Ｎ−グリコシル化タンパク質の酵素による脱グリコシル化を通じて放出されるＮ−グリコシルアミンとは異なる、還元アルデヒド末端を含む糖類である。そのため、上記のＮ−グリコシルアミンとは異なり、デキストランは、アミン求核剤をターゲットとする高速標識化試薬により修飾され得ない。デキストランは、糖類が適切な求核剤を含有しないので、高速でラベル化され得ない。その結果、高速でラベル化されたＮ−グリカンの光学的及び／又は生理化学的特性と同じ特性を有する規格で、液体クロマトグラフィー処理を較正するための方法が求められている。
【発明の概要】
【課題を解決するための手段】
【０００５】
本明細書においては、高速でラベル化されたデキストランラダー及び液体クロマトグラフィーにおいて有用なその他の検量体を製造する方法が提供される。その方法は、アルデヒド基を有する還元グリカンを提供するステップと、一級アミンを有する化合物と還元グリカンを反応させて中間化合物を生成するステップとを含む。中間化合物は、高速標識化試薬を用いて高速でラベル化されて、高速標識化試薬を用いたＮ−グリカンの高速標識化により生成された、高速でラベル化されたＮ−グリカンと実質的に同じ光学的特性を有する、高速でラベル化されたデキストランラダーを生成する。本明細書においては、以下の構造式を有する検量体も提供される：
【０００６】
【化１】
0006692811.tif 000002
式中Ｒは、グルコース単位又は単糖単位である。本明細書において提供される方法は、アルデヒド基を含有する高速標識化又は二重標識化化合物のために有用である。
【図面の簡単な説明】
【０００７】
【図１】高速でラベル化されたＮ−グリカンを調製するためのワークフローの、１つの実施形態を示す。
【図２】励起用に最適化された波長２６５ｎｍと、発光用に最適化された波長４２５ｎｍとを有する高速標識化試薬によりラベル化された、高速でラベル化されたＮ−グリカンの蛍光発光スペクトルを示す。
【図３】励起用に最適化された波長３７０ｎｍと、発光用に最適化された波長４８０ｎｍとのシフトした蛍光特性のみを有する還元型アミノ化により、高速標識化試薬の類似体によってラベル化された、デキストランラダーの蛍光発光スペクトルを示す。
【図４Ａ】本明細書において提供される方法で生成された高速でラベル化されたデキストランラダーの蛍光特性を示す。
【図４Ｂ】本明細書において提供される方法で生成された高速でラベル化されたデキストランラダーの蛍光特性を示す。
【図５Ａ】本明細書において提供される方法を通じて生成される高速でラベル化されたエタノールアミノデキストランラダーの代表的なＨＩＬＩＣ蛍光クロマトグラムを示す。
【図５Ｂ】本明細書において提供される方法を通じて生成される高速でラベル化されたエタノールアミノデキストランラダーの代表的なＨＩＬＩＣ蛍光クロマトグラムを示す。
【図５Ｃ】本明細書において提供される方法を通じて生成される高速でラベル化されたエタノールアミノデキストランラダーの代表的なＨＩＬＩＣ蛍光クロマトグラムを示す。
【図６Ａ】実施例３の高速でラベル化されたデキストランラダーの各バッチに対する、対応する基準ピークイオン（「ＢＰＩ」）クロマトグラムを示す。
【図６Ｂ】実施例３の高速でラベル化されたデキストランラダーの各バッチに対する、対応する基準ピークイオン（「ＢＰＩ」）クロマトグラムを示す。
【図６Ｃ】実施例３の高速でラベル化されたデキストランラダーの各バッチに対する、対応する基準ピークイオン（「ＢＰＩ」）クロマトグラムを示す。
【図７Ａ】グリカンＢＥＨアミド２．１×５０ｍｍカラムを用いた、高速でラベル化されたエタノールアミノデキストラン用に対する、高速でラベル化されたプロピルアミノデキストラン用蛍光クロマトグラムを示す。
【図７Ｂ】グリカンＢＥＨアミド２．１×５０ｍｍカラムを用いた、高速でラベル化されたエタノールアミノデキストラン用に対する、高速でラベル化されたプロピルアミノデキストラン用蛍光クロマトグラムを示す。
【発明を実施するための形態】
【０００８】
バイオ医薬品製造では、生体サンプルのグリコシル化プロファイルが、放出されたグリカンの分析を通じてしばしば評価される。しかしながらこれらのサンプルは、時間がかかる技法、あるいは、質量分析（「ＭＳ」）感度の点で妥協を迫られ得る技法によって調製される。Ｎ−グリカンの酵素による放出及び高速ラベル化は、多くの問題点に対処し得るものであり、Ｎ−グリカンサンプル調製のより高いスループットを提供し、かつグリカン検出の感度を向上させ得るものである。例えば、本明細書において説明されるように、Ｎ−グリカンの酵素による放出及び高速ラベル化によって、糖タンパク質は、わずか１０分間のうちに脱グリコシル化され、Ｎ−グリカンを生成し得るようになり、次に迅速にそのＮ−グリカンが、高速標識化試薬と反応させられる。結果として得られたラベル化されたグリカンは次に、固相抽出（ＳＰＥ）法によりラベル化反応副生成物から抽出され、サンプルの分析を容易にする。
【０００９】
バイオ医薬品のＮ−グリカンプロファイルは、有効性、安全性、及び製造条件の尺度となり得るため、決定的に重要な品質属性である。それゆえ、臨床用及び市販用バイオ医薬製剤のグリカン分析の方法には、高い感度が求められる。加えて、分析が実行される際に、ターンアラウンド時間が短いこと及びスループット性能が高いことは、製品開発を促進するものとなり得る。
【００１０】
糖タンパク質からのＮ−グリカンを評価するための分析戦略の大部分は、ＰＮＧａｓｅ  Ｆを介した脱グリコシル化と、結果として得られたＮ−グリカンの検出可能な属性を与える化学的部分によるラベル化とを伴う。本明細書において説明される１つの方法においては、ラベル化されたグリカンは、親水性相互作用クロマトグラフィー（「ＨＩＬＩＣ」）により分離され、蛍光（「ＦＬＲ」）分光法及び質量分析法（「ＭＳ」）により検出される。
【００１１】
更に、発明者らは先に、Ｎ−グリカンサンプル調製のスループットを改善する一方で、グリカン検出用のＦＬＲ及びＭＳの感度を可能にするサンプル調製用溶液を開発した。発明者らは、Ｎ−グリカンが糖タンパク質から放出されると、その放出されたＮ−グリカンと迅速に反応するように合成可能な高速標識化試薬を開発した。（Ｂｒｏｕｓｍｉｃｈｅらによる２０１４年８月１３日出願の、米国特許出願公開第２０１４／０３５０２６３号、段落［０００８］〜［００２２］、［００４７］〜［００５０］、［００５３］〜［０１８２］、［０１９１］、［０２２８］、及び［０２３０］〜［０３１６］を参照、なお同特許文献は、参照により本明細書に組み込まれる。）高速標識化試薬を用いることにより、５分以内の反応時間で、Ｎ−グリカンをラベル化することが可能である。本明細書において用いられる高速標識化試薬は、Ｎ−ヒドロキシコハク酸イミド（ＮＨＳ）カルバメート高速標識化基、効率的なキノリン蛍光色素分子、及び電離強化用強塩基性三級アミンを含み、以下の表１に例示されるものである。
【００１２】
【表１】
0006692811.tif 000003
【００１３】
本方法においては、還元糖が、還元型アミノ化反応を通じてラベル化され（標識化）、糖類を含有する、結果として得られた二級アミンが、高速標識化試薬により高速で標識化される。本明細書において提示される方法は、アルデヒドを含有する任意の化合物を標識化又は二重標識化するために用いることが可能である。
【００１４】
Ｎ−グリカンの調製を更に加速化させるため、高速標識化試薬の使用は、界面活性剤を更に伴う、ＰＮＧａｓｅ  Ｆによる脱グリコシル化手順と、ＨＩＬＩＣ  μ溶出固相抽出（「ＳＰＥ」）クリーンアップ手順とに直接統合し得るが、それにより、サンプルの液体クロマトグラフィー（「ＬＣ」）分析に先立って、溶媒をドライダウンするステップを不要とする追加的な利益を有する、放出されラベル化されたグリカンの量的回収を提供できる。
【実施例】
【００１５】
（実施例１）
放出されたＮ−グリカンの、ＨＩＬＩＣ分析用、高速標識化試薬を用いた高速調製
本実施例では、どのようにして糖タンパク質から、３０分間で、完全な脱グリコシル化を伴って、標識化（本明細書では「ラベル化」とも呼ぶ）Ｎ−グリカンを、分析の準備ができたサンプルに調製するかを説明する。発明者らのプロセスは、ＧＬＹＣＯＷＯＲＫＳ（商標）ＲＡＰＩＦＬＯＵＲ−ＭＳ（商標）Ｎ−グリカンキットとして知られているキットにより容易に実行可能になる、合理的なプロトコルである。ラベル化されたＮ−グリカンに対する感度は、これまでの蛍光及びＭＳ検出よりも少なくとも２〜１００倍に増加しており、テトラシアル酸化されたＮ−グリカンを中和するロバスト性のある固相抽出（「ＳＰＥ」）に基づいた正確なプロファイリングを提供可能である。Ｌａｕｂｅｒ，Ｍら、Ｒａｐｉｄ  Ｐｒｅｐａｒａｔｉｏｎ  ｏｆ  Ｒｅｌｅａｓｅｄ  Ｎ−Ｇｌｙａｎｓ  ｆｏｒ  ＨＩＬＩＣ  Ａｎａｌｙｓｉｓ  Ｕｓｉｎｇ  ａ  Ｌａｂｅｌｉｎｇ  Ｒｅａｇｅｎｔ  ｔｈａｔ  Ｆａｃｉｌｉｔａｔｅｓ  Ｓｅｎｓｉｔｉｖｅ  Ｆｌｕｏｒｅｓｃｅｎｃｅ  ａｎｄ  ＥＳＩ−ＭＳ  Ｄｅｔｅｃｔｉｏｎ，Ａｎａｌ．Ｃｈｅｍ．、２０１５年、第９７巻、５４０１〜５４０９頁を参照。なお、同論文は参照により、本明細書に組み込まれる。
【００１６】
本発明者らのＮ−グリカン分析を容易にする高速標識化試薬は、高速ラベル化の速度と、高い蛍光量子収率と、ＭＳ検出性の相当な向上とを得られるような合理的な設計上の考慮に基づいて合成されたものである。Ｎ−グリカンサンプルの調製は、アルデヒド末端を有する糖類の還元型アミノ化に依存し得るものである。このプロセスにおいては、脱シアル化を最小限にするため、グリカンが、無水条件下で還元的にアミン化される。サンプルの調製は、水性条件から無水条件へと移行する。他方、高速標識化試薬を用いることにより、還元型アミノ化は、水性条件下での高速標識化反応を通じて省略可能となる。
【００１７】
グリカンは、高速標識化反応によりラベル化されないとしても、還元型アミノ化を用いてその還元末端部でラベル化され得る。この反応においては、一級アミンを含有する標識化試薬が、縮合反応においてグリカンのアルデヒド基と反応し、イミン又はシッフ基を結果として生じ、それが還元剤により還元されて、二級アミンを生じる。反応は、酢酸を含有するジメチルスルホキシド内で実行されるが、テトラヒドロフランとメタノールとを用いる代替的な方法も説明されている。アミンの例（本明細書においては、一級アミン又は一級アミンを有する化合物とも呼ばれる）としては、エタノールアミン、プロピルアミン、アミノベンザミド、遊離アミノ末端を有するペプチド（本明細書の実施例５に示すようなもの）、Ｎ，Ｎ−ジメチルエチレンジアミン、アミノアントラセン、及びアミノビオチンが挙げられる。本ラベル化方法の利点は、グリカン毎に１つのラベルを化学量論的につけることで、蛍光又はＵＶ吸光度に基づく直接的定量化を可能にすることにある。
【００１８】
【化２】
0006692811.tif 000004
【００１９】
あるいはグリカンの高速標識化は、本明細書において説明され、かつＮ−グリカンサンプル調製のあらゆる側面からその障害となっているものを取り除くことを目的として設計されたＧＬＹＣＯＷＯＲＫＳ（商標）ＲＡＰＩＦＬＵＯＲ−ＭＳ（商標）Ｎ−グリカンキットによって、即座に導入可能である。下記の図１に示すように、Ｎ−グリカンサンプル調製の最適化されたワークフローは、以下の３つのステップを要する：（１）糖タンパク質からグリカンを放出させるための脱グリコシル化；（２）グリカンに対して、検出可能な化学物質を付与するためのラベリング；及び（３）サンプルから潜在的に妨害となり得る物質を取り除くためのクリーンアップ。これらのグリカンは次に、迅速に１種類以上の高速標識化試薬と反応させられ、それにより、蛍光及びＭＳ検出の両方に対して感度を上昇させる、効率的な蛍光色素分子と強塩基性三級アミンとを含む標識によってラベル化される。直ぐ下に、高速でラベル化されたグリカンの構造を表す図を示す。高速でラベル化されたグリカンは、還元型アミノ化反応に由来する二級アミン結合とは異なる、とりわけ独特の結合部分を有することは注目に値する。高速でラベル化されたＮ−グリカンは、中性（非酸性）尿素結合を含有することになる。これは、高速でラベル化されたグリカンの物理化学的特性及び／又は性状に影響を及ぼし得るが、それらの特性及び／又は性状には、クロマトグラフ保持値、及び蛍光特性、更には、例えば、等電点（「ｐＩ」）、酸性度、塩基性、疎水性、親水性、金属をキレート化する能力、ＵＶ吸光度、蛍光性、可視光スペクトルにおける吸光度、比色変化、分子量、結合相手との相互作用に対する親和性（すなわち、アビジン又はストレプトアビジンに対するビオチン化残基、抗原結合部位に対する抗原決定基）、酸化還元電位、架橋傾向、切断性（化学的及び熱的）、及び、さまざまな長さの高分子置換成分（すなわち、ポリエチレングリコール（ＰＥＧ）４繰り返し単位、ＰＥＧ  ４０繰り返し単位）のようなその他の物理化学的性状が挙げられる。
【００２０】
【化３】
0006692811.tif 000005
【００２１】
本明細書において用いられる場合、商標ＧＬＹＣＯＷＯＲＫＳ（商標）及び商標ＲＡＰＩＦＬＵＯＲ−ＭＳ（商標）は、出願者であるＷａｔｅｒｓ  Ｔｅｃｈｎｏｌｏｇｉｅｓ  Ｃｏｒｐｏｒａｔｉｏｎにより所有されている。商標ＧＬＹＣＯＷＯＲＫＳ（商標）は、生物学的標準品類、サンプル調製装置、並びにクロマトグラフィー及び質量分析用サンプルを調製するための使い捨てカートリッジ及び化学試薬を含む、ラボ使用向けサンプル調製キットに関連して用いられる。同様に、商標ＲＡＰＩＦＬＵＯＲ−ＭＳ（商標）は、クロマトグラフィー及び質量分析用サンプルを調製するための化学試薬に関連して、また、生物学的標準品類、サンプル調製装置、及び使い捨てカードリッジを含むサンプル調製キットに関連して用いられる。
【００２２】
したがって、ＧＬＹＣＯＷＯＲＫＳ（商標）ＲＡＰＩＦＬＵＯＲ−ＭＳ（商標）Ｎ−グリカンキットは、Ｎ−グリカンの、高速での酵素による放出及び高速ラベル化に対して使用可能である。このプロトコルは、モノクローナル抗体を用いて有効性を検証されているものであるが、広い範囲のその他のＮ結合型糖タンパク質に対して実行するよう試験されているものでもある。本サンプル調製キットは、最適化された脱グリコシル化条件及び高速放出用試薬を用いるものである。本キットは、２０１４年８月１３日出願の、米国特許出願公開第２０１４／０３５０２６３号（参照により本明細書に組み込まれる）の、段落［０００８］〜［００２２］、［００４７］〜［００５０］、［００５３］〜［０１８２］、［０１９１］、［０２２８］、及び［０２３０］〜［０３１６］に記載の高速ラベル試薬を含み得るが、なおかつ、高い感度の蛍光検出及び質量検出用に適切な信号強度と両方の利益を提供するように設計されている。
【００２３】
本明細書において説明しているように、タンパク質のＮ−グリコシル化の特性把握及びモニタリングは、病勢の検知及びバイオ医薬品の製造において重要である。グリコシル化プロファイルは、時間がかかることで悪い評判がありかつＭＳ感度の面で妥協を迫られるような技法によってサンプルがしばしば調製される、放出されたグリカンの分析によって最も多く評価される。本明細書において記載されているＧＬＹＣＯＷＯＲＫＳ（商標）ＲＡＰＩＦＬＵＯＲ−ＭＳ（商標）Ｎ−グリカンキットの開発により、過去に例のない高いグリカン検出感度を可能にし、Ｎ−グリカンのサンプル調製のスループットを改善することも実現したことで、これらの問題点への対処がなされた。
【００２４】
この新しいサンプル調製方法及び関連する方法によりもたらされた効率性及び感度についての利益と同様に重要なのは、そのロバスト性及び、過去のＮ−グリカンプロファイリングと一貫性のある結果を生み出すその能力である。更に、生成されたグリカンデータは、グリカンデータベースに問い合わせをするために用いることが可能であるが、まずは、グルコース単位（「ＧＵ」）値と呼ばれる標準化された値に変換する必要がある。したがって、較正規格を実現することの別の１つの利益は、既存のグリカンデータを、グリカンデータベースの探索を可能にするフォーマットに変換する能力である。変換されたデータは、未知のグリカン組成物のサンプルが調査されている発見のプロセスにおいて使用可能である。ひとたびグリカンがＧＵ値に変換されると、ユーザーはオンラインのデータベースに問い合わせて、サンプル中に存在すると思われるグリカン構造の候補について、洞察を得ることが可能となり、潜在的には、典型的な特性把握の実行に必要とされる時間を減らすことも可能になる。液体クロマトグラフィーにおいては、較正が頻繁に実行されるが、それは時に、グリカン混合物の分離を実行するたびに、その実行後に実行されるほどである。
【００２５】
蛍光性（「ＦＬＲ」）の、ラベル化されたグリカンを検出するため、蛍光検出と組み合わせた親水性相互作用液体クロマトグラフィー（「ＨＩＬＩＣ」）を用いることが可能である。分離の処理の場合、かつある一部の従来型高性能液体クロマトグラフィー（「ＨＰＬＣ」）法と比較して、ＨＩＬＩＣモードで動作しているエチレン架橋型ハイブリッドグリカンカラム（以下、「ＢＥＨグリカンカラム」又は「ＢＥＨカラム」と呼ぶ）は、ピーク解像度の向上を、中性及び酸性グリカンの両方を分離する能力とともに提供し得るものである。ＢＥＨグリカンカラムは、再現性のあるグリカン分離データを、方法の最適化のためにより少ない時間しかかけずに生成するのを可能にする。
【００２６】
ＢＥＨカラムは、ハイブリッドシリカＢＥＨ、安定な、アミドを含有する種により官能化された架橋技術粒子、を用いる。ＢＥＨ技術は、直径が１．７〜５μｍの範囲の数多くの粒径固定相をもたらし、ＨＰＬＣ技術プラットフォームと、超高性能液体クロマトグラフィー（「ＵＰＬＣ」）技術プラットフォームとの間の橋渡しをするものである。ＢＥＨ粒子は、塩基性検体に対してピーク形状と効率性を提供し、クロマトグラフ選択制の合理的なアレイを提供し、更に、極端な移動相、特に高いｐＨ値において、化学的安定性の向上をもたらすものである。これらのカラムの分解能は、関連付けられた用途に対して最適な、アミド配位子の濃度を有する多孔質粒子に、部分的には因るものである。このカラムは、さまざまなバイオ医薬品から放出されラベル化されたＮ−結合型グリカンを分離するための蛍光（「ＦＬＲ」）検出を有するＵＰＬＣ又はＨＰＬＣシステムとともに使用するために最適化され得るが、中性の及び荷電した、ラベル化されたグリカン種のＨＩＬＩＣに基づく分離を実現し得る。
【００２７】
ＢＥＨグリカンカラム、又は、単に任意のＨＩＬＩＣに基づくグリカンのプロファイリングを最大限活用するために、デキストラン較正ラダー（以下、時に、「デキストランラダー」又は「デキストランラダー標準」と呼ぶ）を使用することが可能である。ＨＩＬＩＣ／ＦＬＲシステムから得られるグリカンプロファイルは、デキストランラダーに対して較正され、グルコース単位（ＧＵ）値により特定され得る。例えば、そのような既知のラダーの１つである、２ＡＢ−ラベル化デキストラン較正ラダーは、その他の市販のものとは異なるものである。グルコースホモポリマーの平均分子量は、より高く（最大で４，５００ダルトン）、そのため、「使用可能な」ＧＵ値の範囲は、その他のデキストランラダー標準の２倍にもなっている。観測されたＧＵは、２〜３０である。したがって、大きなグリカン保持時間の特定が改善される。デキストランラダーの純度及び構造的一体性は、ＨＩＬＩＣ及び質量分析（「ＭＳ」）の両方で評価可能である。
【００２８】
グリカンの溶出時間は、デキストランラダーを参照することにより、グルコース単位（「ＧＵ」）で表現可能である。個々のグリカン構造のそれぞれは、その連結及びそれを構成する単糖類に直接関係するＧＵ値を有する。ある特定の連結内のそれぞれの単糖類は、所与のグリカンのＧＵ値に特定の方法で寄与するので、ＧＵ値は、構造を予測するために用いることが可能である。したがって、本明細書において提供されるデキストランラダーを用いて、日々の変化又はシステムごとの変化に対して、液体クロマトグラフィー（「ＬＣ」）の実行を較正することが可能である。ＧＵ値は、５次多項分布曲線又は３次スプライン曲線を、デキストランラダーにフィットさせ、次にこの曲線を用いて、保持時間からＧＵ値を割り当てることにより、計算される。Ｎ−グリカンに対するＧＵ値は、カラム間での標準偏差は０．３未満の、非常に再現性が高いものであり得る。これにより、一連の器具からある一定の期間にわたって集めたデータベース値と、直接比較することが可能となる。
【００２９】
ＧＵ値を入手したら、あるグリカン集団内に存在する、潜在的なグリカン構造を明らかにする助けとするために、ＧＵ値で記録されたグリカンのデータベースからデータを得ることが可能である。デキストランラダーはまた、異なるラボの異なる機器によって得られるクロマトグラムを較正するために用いることが可能である、品質がコントロールされた標準を提供する。ＨＩＬＩＣ−ＦＬＲ器具類を用いて得られたグリカン保持時間は、ラボごとにそして器具ごとに異なるであろう。保持時間をＧＵ値に変換することにより結果として得られたデータは、オンサイト及びオフサイトの両方で、異なる場所どうしの間の情報比較をするために用いることが可能である。ＧＵ値の使用は、ここで例として用いられているが、その他のクロマトグラフィー法も、本発明の方法により調製されたデキストランによる較正を使用することから利益を引き出すことが可能であり、そのようなクロマトグラフィーの例には、逆相クロマトグラフィー、及び逆相クロマトグラフィーとＨＩＬＩＣとの両方を繰り返し混合するモードが挙げられるが、それらに限られない。
【００３０】
Ｎ−グリカンの高速ラベル化は、分析のためのグリカンサンプルの調製を単純化するものである。しかしながら、高速標識化用試薬によって高速でラベル化されたグリカンとともに用いるのに適切なデキストランラダーを製造することは、簡単なことではない。本明細書において提供されるのは、２ステップ式の、還元グリカン標識化のためのプロセスであり、例えば蛍光及びＭＳ活性、並びに異なる検出特性を有する多くの標識のような、クロマトグラフ応答及び化学的性質の調整を可能にするプロセスである。各ステップは、還元グリカンへの付着の性質が異なっている。「還元グリカン」という用語は、還元糖、還元糖類、還元多糖類（異糖類、異糖単位、又は、異単糖類、又はホモ糖類）を意味し、アルデヒド末端を有する任意の糖類を含み、例えば、キトトリオース、キトビオース、ガラクトロース−β−（１〜３）−ＧａｌＮＡｃ−グリカン、マンノトロース−ジ−（Ｎ−アセチル−Ｄ−グルコサミン）、及びマルトロースが挙げられる。還元グリカン又は還元糖は、遊離アルデヒド基を有するために還元剤として機能することが可能な任意の糖である。したがって、本明細書において提供される方法は、Ｏ−グリカンを含む、アルデヒド（時にアルデヒド基とも呼ばれる）を含有する任意の化合物を標識化又は二重標識化するのに有用である。
【００３１】
直ぐ下に示すように、最初のステップでは還元型アミノ化プロセスを用いるが、一級アミンを有する化合物と還元グリカン（アルデヒド末端を有する糖類）を反応させて、例えば、エタノールアミノデキストランラダー、プロピルアミノデキストランラダー、又は、二級アミンに転換されたアルデヒド又は二級アミン末端を有するように転換された還元グリカン（還元糖類）を有するその他の化合物のような中間化合物を生成するステップを含むものである。上記のような中間化合物又はそのアルデヒドが二級アミンに転換される化合物を生成するのに望ましい特性を示すことが可能な一級アミン（本明細書においては、「一級アミンを有する化合物」又はアミンとも呼ぶ）には、エタノールアミン、プロピルアミン、アミノベンザミド、遊離アミノ末端を有するペプチド（本明細書において実施例５に示されるようなもの）、Ｎ，Ｎ−ジメチルエチレンジアミン、アミノアントラセン、及びアミノビオチンが挙げられる。第２のステップは、異なる特性を付与し得る高速標識化試薬との反応である。換言すれば、中間化合物の特性は、高速標識化された化合物（すなわち、高速標識化グリカン）の特性とは異なっている。
【００３２】
【化４】
0006692811.tif 000006
上の図において、Ｒ−ＮＨ２は、エタノールアミン、又は一級アミンを有する類似のタイプの化合物である。
【００３３】
この方法は当初、直ぐ下に示すような前駆体を用いる還元型アミノ化のみを介して標識化されたデキストラン標準の特性（本明細書においては、還元糖とも呼ぶ）に高速標識化試薬（図２）で標識化された（図３）Ｎ−結合型グリカンどうしの間で、光学的特性を一致させる必要から生まれたものである：
【００３４】
【化５】
0006692811.tif 000007
【００３５】
不都合なことには、これらの２つのタイプの材料どうしの間で、蛍光特性、すなわち励起極大及び発光極大が、異なることが見いだされた。その結果、そのようなデキストランラダーは、液体クロマトグラフィーで高速でラベル化されたグリカンを分析するための検量体として好適とは言えないものであった。
【００３６】
本明細書において提供される方法は、蛍光及び／又はＭＳ活性特性を通じたＮ−グリカンの検出を提供するための高速標識化／アミン反応性ラベルによる、還元グリカン（又はアルデヒド末端を有する任意のグリカン）の標識化への反応経路を使用する。還元グリカンの従来の標識化は、特定の標識化試薬による還元型アミノ化（１〜４時間、高い収率を得るには８時間もかかる場合があり得るような時間のかかるプロセス）を伴うものである。本方法は還元型アミノ化を使用するものの、ひとたび中間アミンが生成すると、蛍光／ＭＳ活性特性を有する標識（又はラベル）を導入し、以下の構造式Ｉの糖分子を提供するために第２のステップ（高速、最長で５分間）が実行される。本実施形態において提供されるように、末端単糖類残基が、残りの糖構造に、４−ＯＨ位を介して結合する、Ｎ−アセチルグルコサミン（ＧｌｃＮＡｃ）であることが示される。しかしながら、末端単糖類残基はＧｌｃＮＡｃである必要はない。デキストランラダーは、構造に６−ＯＨ位を介して結合する、グルコース単糖類末端を有していてもよい。加えて、末端単糖類残基は、４−ＯＨ位を介して結合することも可能である。デキストランラダーは、以下の式ＩＩに例示されるように、残りの糖構造に、６−ＯＨ位を介して結合する任意のグルコース単糖類末端を有することが可能である。
【００３７】
【化６】
0006692811.tif 000008
式中、Ｒは、単糖単位又はグルコース残基であり得るが、Ｒ１は、−ＣＨ２ＣＨ２ＯＨであり、かつＲ２は、ＦＬＲ−ＭＳ機能性を構造に組み込み、以下の構造により例示される高速標識化試薬の部位である：
【００３８】
【化７】
0006692811.tif 000009
【００３９】
本明細書において提供される方法は、高速標識化試薬で既にラベル化されたその他の分子と同じ光学的特性及びＭＳ特性を有する高速標識化剤で、還元グリカンを標識化することを可能にする。換言すれば、高速標識化試薬の一級アミンで還元型アミノ化反応を実行することにより、吸光特性及び発光特性において、高速標識化剤（Ｎ−結合型分子）でラベル化された比較対象の分子と異なる、分子を生成することが可能である。リンカーは異なり得る（アミン対尿素）が、その結果、発色特性における変化が見られる。一級アミンを有する化合物で還元型アミノ化を実行し、次にアミンを高速標識化試薬で標識化することにより、光学的特性が維持される。
【００４０】
図４Ａは、本明細書に記載の方法により生成された、高速でラベル化されたデキストランラダーの光学的特性を示すが、その際に用いられた高速標識化試薬は、以下のものである：
【００４１】
【化８】
0006692811.tif 000010
【００４２】
図４Ｂは、デキストランラダーが、同じ高速標識化試薬で生成された、高速でラベル化されたグリカンの蛍光特性と実質的に同じ蛍光特性を有することを示すが、その高速でラベル化されたグリカンは、以下に例示するものである：
【００４３】
【化９】
0006692811.tif 000011
【００４４】
本方法は、全体的な極性における変化を通じて、グルコースホモポリマー（本明細書においては「デキストランラダー」と言及される）の相対的保持を調整するのを可能にする。例えば、ａ）エタノールアミン又はｂ）プロピルアミンによる還元型アミノ化を通じたデキストランラダーの標識化と、その後に行われる高速標識化試薬との反応の結果、異なる保持特性が得られる。このように、デキストランラダーの諸特性の中でも特にクロマトグラフ保持特性は、較正標準として調整することが可能である。
【００４５】
したがって、本方法は、高速標識化ラベル化試薬でラベル化されたＮ−グリカンの化学的特性と類似の化学的特性を有する、デキストランラダーを生成することが可能である。
【００４６】
実施例３において提案されている手順において提供されるように、上のようなグルコースホモポリマーの１つの実施形態は、エタノールアミンでの還元型アミノ化反応と、それに続く高速標識化試薬での標識化により、直ぐ下に示す、高速でラベル化されたエタノールアミノデキストランラダー（高速でラベル化されたデキストランラダーの実施形態）を生成することを含む：
【００４７】
【化１０】
0006692811.tif 000012
【００４８】
別の１つの実施形態では、実施例３において提案される手順におけるエタノールアミンを、プロピルアミンで置き換えることが可能である。その結果得られる、高速でラベル化されたプロピルアミノデキストラン（下図に示す）は、ＢＥＨアミド固定相で分離された際に、図７Ｂに示すものとは異なる、図７Ａに示すようなクロマトグラフ保持値を示す。
【００４９】
【化１１】
0006692811.tif 000013
【００５０】
（実施例２）
高速でラベル化されたデキストランラダーの調製
デキストランの還元型アミノ化、カップリング手順
１００ｍｇのデキストラン５０００を正確に計量し、８ｍＬのバイアル瓶に入れる。次に、２８００μＬのＤＭＳＯを、８ｍＬのバイアル瓶にピペットで移し、デキストランが溶解するまで攪拌する。次に実際に重量を測定して記録する。
【００５１】
１２００μＬの氷酢酸を、８ｍＬのバイアル瓶に添加し、次に、９０．０ｍｇ（９１．０ｍＬ）の再蒸留エタノールアミン（ＭＷ＝６１．０８、ｄ＝１．０１２）を添加し、更に、１２８ｍｇのシアノ水素化ホウ素ナトリウムを添加する。得られるスラリーを静かに混ぜ、ヒートブロック内で、磁気攪拌しながら３時間、７０℃でインキュベートする。３時間のインキュベーション後、得られた反応物をヒートブロックから取り出し、４０℃未満の温度まで冷やす。反応内容物を、８ｍＬのバイアル瓶から容器自体の重量を計ってある５０ｍＬの遠心分離機に移し、４０ｍＬのＡＣＮを添加する。容器自体の重量を計って記録し、バイアル瓶を冷蔵庫に３０分間入れておく。次に、混合物を４０００ＲＰＭで５分間遠心分離にかけて、上澄みを他の容器に移す。ペレットを、４０ｍＬのＡＣＮ中に再度懸濁させて、勢いよく渦をつくるように混ぜる。遠心分離するステップ、上澄みを移すステップ、及び再懸濁させるステップを、合計３回洗浄するまで繰り返す。３０分間静置しておく必要はない。ペレットを、窒素蒸気下で２０分間にわたり乾燥し、次にひと晩、室温かつ真空条件下で乾燥する。ペレットを計量し、最終的な回収量を決定する。最終重量、容器重量、及び回収重量を記録する。
【００５２】
エタノールアミドでラベル化されたデキストランラダーを生成するための高速ラベル化の手順
本手順は、高速標識化試薬がモル濃度で１００〜２００倍の過剰状態で、高速標識化反応を実行するために設計されている。４．０±０．３ｍｇのエタノールアミノデキストランを、５０ｍＭのＨＥＰＥＳ  ５００μＬの、ｐＨ＝７．９中に溶解させる（水酸化ナトリウムを用いて遊離酸から滴定される）。３００μＬの無水のＤＭＦを添加する。このデキストラン溶液を用いて、１００±０．５ｍｇの高速標識化試薬を溶解させる。室温で１０分間、反応を進行させておく。定期的に（２０〜３０秒ごとに）、反応混合物をかき混ぜ／攪拌する。室温でのインキュベーション完了後、反応混合物を７．６ｍＬのＡＣＮで希釈する。ＳＰＥカートリッジに入れる直前に、反応混合物を希釈するのが最も好ましい。
【００５３】
ＨＩＬＩＣ及びＳＰＥによるクリーンアップ
６ｍＬの水と６ｍＬの８５％  ＡＣＮで洗浄する。ＡＣＮで希釈した反応混合物を、それぞれ４．５ｍＬ（およその体積）の量の２つの部分にわけて、カートリッジに入れる。ギ酸：水：ＡＣＮが１：９：９０の混合液６ｍＬで３回洗浄する。ｐＨ調製しない２００ｍＭの酢酸アンモニウムのそれぞれ４ｍＬの量３つで、５％のＡＣＮを希釈する。６００μＬずつ分配し、遠心分離真空蒸発により乾燥させる。
【００５４】
この手順により、バッチごとに最大で約８０標準収量の、エタノールアミノデキストラン中間体から調製されたラベル化されたデキストランラダーを結果としてもたらし得る。
【００５５】
（実施例３）
高速でラベル化されたエタノールアミノデキストラン、高速でラベル化されたデキストランに対する実験条件と代表的なデータ。
高速でラベル化されたデキストランエタノールアミノのバッチ１〜３に対する実験条件、高速でラベル化されたデキストラン液体クロマトグラフィーが用いられて、実施例２で調製したようなラベル化されたデキストランラダーの蛍光及びＭＳ特性を分析した。カラムは、体積比７０％のＨＰＬＣグレードのアセトニトリル（ＡＣＮ）／体積比３０％のＨＰＬＣグレードの水で流した。カラムは、次に最初の注入を行う前に、移動相条件で均衡化させられる。直ぐ下に示す表２及び表３は、分析おいて用いられるＨＩＬＩＣのＵＰＬＣ／ＦＬＲ／ＭＳ条件を提供する。
【００５６】
【表２】
0006692811.tif 000014
【００５７】
【表３】
0006692811.tif 000015
【００５８】
図５Ａ、５Ｂ、及び５Ｃは、調製され、ラベル化された（エタノールアミノ）デキストランラダーの３つのバッチのそれぞれに対する蛍光クロマトグラムを示す。図６Ａ、６Ｂ、及び６Ｃは、高速でラベル化されたデキストランラダーの各バッチに対して、対応する基準ピークイオン（ＢＰＩ）クロマトグラムを示す。ラベル化されたグルコース単位（ＧＵ）種の質量が、表４に示されている。
【００５９】
【表４】
0006692811.tif 000016
【００６０】
（実施例４）
クロマトグラフ保持値を、還元型アミノ化を通じて、一級アミンを有する化合物で調節すること
第２の高速でラベル化されたデキストランが、実施例２において提案されるエタノールアミンをプロピルアミンに置き換えて調製された。結果として得られる、高速でラベル化されたプロピルアミノデキストランのクロマトグラフィー保持値を、上に言及した高速でラベル化されたエタノールアミノデキストランと、以下に概要を示す実験条件にしたがって比較した：
カラムは、体積比７０％のＨＰＬＣグレードのアセトニトリル（ＡＣＮ）／体積比３０％のＨＰＬＣグレードの水で流した。カラムは、次に最初の注入を行う前に、移動相条件で均衡化させられる。表５は、分析において用いられたＨＩＬＩＣ  ＵＰＬＣ／ＦＬＲ条件を示す。
【００６１】
【表５】
0006692811.tif 000017
【００６２】
図７Ａ及び７Ｂは、ＢＥＨアミド２．１×５０ｍｍカラムを用いた場合の、高速でラベル化されたエタノールアミノデキストラン用に対する、高速でラベル化されたプロピルアミノデキストラン用蛍光クロマトグラムを示す。
【００６３】
予言的実施例５
還元糖類への、多官能性の組み込み
より広く言えば、本方法は、別々のラベル化部分（本明細書においては、「標識」または「ラベル」とも呼ぶ）を、１つは還元型アミノ化反応を介して、別の１つは高速標識化処理により組み込むことを通じて、還元グリカン及び糖類に、ある化学的性質を付与することが可能なものである。
【００６４】
本方法の実施形態では、ストレプトアビジンプルダウンを介してサンプルの基質から、２回ラベル化されたＮ−グリカンを生成し、次に高速標識化試薬を介して検出して、蛍光の付与及び／又は電離の効率性向上を可能にするものである。以下に示す、この「２回ラベル化された」糖類は、蛍光性の高い、ＭＳ活性ラベルとともに、ビオチンラベルを有することが可能である。直ぐ下に示す１つの実施形態では、アミノビオチン分子が、還元型アミノ化反応に使用され得るが、還元的にアミノ化された糖類が、高速で標識化された反応を介してラベル化され得るようになっている。
【００６５】
【化１２】
0006692811.tif 000018
【００６６】
１つの実施形態では、ちょうどグリカンをアミノベンザミドで還元的にアミノ化し、その後で、高速標識化試薬でラベル化するのに本方法が適用された場合に可能となるように、１種類以上の蛍光団／発色団を用いて、単一の糖類種について複数波長検知を可能にする。
【００６７】
【化１３】
0006692811.tif 000019
【００６８】
本方法はまた、免疫親和性濃縮又は免疫をベースとする検出が可能になるようにエピトープ標識で糖類／グリカンがラベル化されるのを可能にすることもできる。１つの特定の実施形態では、血球凝集素（ＨＡ）エピトープ標識（ＹＰＹＤＶＰＤＹＡの配列のペプチド）で糖類が還元的にアミノ化され、次に高速標識化試薬でラベル化され得る。
【００６９】
【化１４】
0006692811.tif 000020
【図１】
0006692811.tif 000022
【図２】
0006692811.tif 000023
【図３】
0006692811.tif 000024
【図４Ａ】
0006692811.tif 000025
【図４Ｂ】
0006692811.tif 000026
【図５Ａ】
0006692811.tif 000027
【図５Ｂ】
0006692811.tif 000028
【図５Ｃ】
0006692811.tif 000029
【図６Ａ】
0006692811.tif 000030
【図６Ｂ】
0006692811.tif 000031
【図６Ｃ】
0006692811.tif 000032
【図７Ａ】
0006692811.tif 000033
【図７Ｂ】
0006692811.tif 000034